(57)【要約】      （修正有）【課題】重く抱え難い中・大型犬等の動物が老齢怪我病気などで歩行が困難になった場合に安全に動物を搬送する為の動物用担架を提供する。【解決手段】支持シートに動物の四股を通す為の4つの足孔又は足スリット３を形成して動物の四股を支持シート１に通し、担架本体８の両側部に配置された一対の持ち手２を全て持ちあげ支持することで動物を安定させた体勢で安全に搬送する動物用担架Ａ。【選択図】図４
0003184637.tif 000002
【実用新案登録請求の範囲】
【請求項１】
動物を載せて搬送する為の動物用担架であって柔軟な支持シートに動物の4つ足を通す為の4つの足孔又は足スリットを形成した担架本体とこの担架本体の両側部に配置された一対の持ち手を有する事を特徴とする動物用担架。
【請求項２】
前記一対の持ち手は前側の足孔又は足スリットに対応するとともに、後側の前側足孔又は足スリットに対応するように前後２組配置されていることを特徴とする請求項１の動物用担架。
【請求項３】
前記支持シートの前側又は後側に前記支持シート上の動物を前記支持シートに保持するための保持バンドが設けられていることを特徴とする請求項１又は２の動物用担架。
【請求項４】
一対の前記持ち手は前記支持シートの裏面に固定されたループ状のテープ又は紐の両端部で形成されていることを特徴とする請求項１、２又は３の動物用担架。
【請求項５】
一対の前記持ち手は前記支持シートの表面の両側端に固定されたテープ又は紐により形成されていることを特徴とする請求項１、２又は３の動物用担架。
【請求項６】
前記支持シートには前側両側端及び後側両側端にそれぞれ通環が配置されていて、前側の一側端の通環から後側の他側端の通環を通過し後方の一側端の通環をへて前側の他側端の通環にショルダー紐を取り付けることにより1人での使用も可能にしたことを特徴とする請求項１、２、３、４又は５の動物用担架。
【考案の詳細な説明】
【技術分野】
【０００１】
本考案は中・大型犬等の動物を搬送する為の動物用担架に関するものである。
【背景技術】
【０００２】
重く抱え難い中・大型犬等の動物が老齢怪我病気などで歩行が困難になった場合、寝具等に包み運ぶなど非常に不安定な状態の中で急を要する搬送をしなければならず、動物も飼い主もそのような状態での搬送は非常に危険であった。
【０００３】
動物用寝具に持ち手を逢着したものに老齢怪我病気の動物を寝かせ緊急時にはその持ち手を持って搬送出来る（例えば特許文献１を参照）。
【先行技術文献】
【特許文献】
【０００４】
【特許文献１】特開２００７−３７４１９号公報
【考案の概要】
【考案が解決しようとする課題】
【０００５】
しかしながら寝具はかさばって携帯する事が出来ず又横になった状態での搬送は安定性が悪く動物自身も体を起そうと暴れる等担ぎ手にも動物にも負担が掛かり状況によっては安全に搬送出来ない場合もあった。
【０００６】
そこで本考案は中・大型犬等の動物が老齢怪我病気等の原因で突然歩行困難になった場合に備え携帯が出来かつ動物が自然な体制で安全に搬送出来る動物用担架を提供して上記従来の課題を有効に解決せんとするものである。
【課題を解決するための手段】
【０００７】
動物を載せて搬送する為の動物用担架であって柔軟な支持シートに動物の4つ足を通す為の4つの足孔又は足スリットを形成した担架本体とこの担架本体の両側部に配置された一対の持ち手を有することを特徴とする動物用担架。
【０００８】
前記一対の持ち手は前側の足孔又は足スリットに対応するとともに、後側の足孔又は足スリットに対応するように前後２組配置されていることを特徴とする動物用担架。
【０００９】
前記支持シートの前側又は後側に前記支持シート上の動物を前記支持シートに保持するための保持バンドが設けられていることを特徴とする動物用担架。
【００１０】
一対の前記持ち手は前記支持シートの裏面に固定されたループ状のテープ又は紐の両端部で形成されていることを特徴とした動物用担架。
【００１１】
一対の前記持ち手は前記支持シートの表面の両側端に固定されたテープ又は紐により形成されていることを特徴とした動物用担架。
【００１２】
前記支持シートには前記両側端及び後側両側端にそれぞれ通環が配置されていて、前側の一側端の通環から後側の他側端の通環を通過し後方の一側端の通環をへて前側の他側端の通環にショルダー紐を取り付けることにより1人での使用も可能にしたことを特徴とした動物用担架。
【考案の効果】
【００１３】
動物を載せて搬送する為の動物用担架であって柔軟な支持シートに動物の4つ足を通す為の4つの足孔又は足スリットに動物の四股を通しこの担架又は担架本体の両側部に配置された一対の持ち手を持ち搬送することで支持シート上の動物が自然な体勢になり安定した状態で搬送することが出来る。
【００１４】
担架本体の両側部に配置された一対の持ち手は前側の足孔又は足スリットに対応するとともに、後側の足孔又は足スリットに対応するように、少なくとも前後２組配置されていることにより動物の前足・後足の前後に力が働き動物の腹部への圧迫を避けながら体重を分散して安定した状態で搬送することが出来る。
【００１５】
支持シートの前側又は後側に前記支持シート上の動物を前記支持シートに保持するための保持バンドが設けられているので搬送中に動物が突然暴れたり担ぎ手が体勢を崩したとしても支持シート上の動物が転げ落ちることなく安全に搬送することが出来る。
【００１６】
一対の前記持ち手は前記支持シートの裏面に固定されたループ状のテープ又は紐の両端部で形成されている事で、支持シートの強度を保ちつつ支持シート上の動物の前足側・後足側の前後を均等に支えることが出来る。
【００１７】
一対の前記持ち手は前記支持シートの表面又は裏面の両側端に固定されたテープ又は紐によって形成されており、その材料はナイロンテープ・アクリルテープ・ポリプロピレンテープ等その他任意である。
【００１８】
通常担架での搬送には２人以上の担ぎ手を必要とするが、前記支持シートには前記両側端及び後側両側端にそれぞれ通環が配置されていて前側の一側端の通環から後側の他側端の通環を通過し後方の一側端の通環をへて前側の他側端の通環にショルダー紐を取り付け担ぎ手がショルダー紐をたすき掛けに背負い全ての持ち手を持ち立ち上がる事で1人での使用も可能である。
【００１９】
更には、前記支持シートを前側後側の足孔または足スリットに合わせて二つ折りにし動物の前足又は後足を合わせられた足孔又は足スリットに通して、支持シートに動物を保持する為の保持バンドで固定する事で歩行補助具としても使え動物の老齢怪我病気などの歩行困難の度合いに合わせて使い分けが出来て便利である。
【図面の簡単な説明】
【００２０】
【図１】本考案動物用担架の展開図である。
【図２】図１の裏面図である。
【図３】図１を支持シートに動物を保持する状態の表面図である。
【図４】図１を動物に装着した状態の側面図である。
【図５】図１を動物に装着しショルダー紐を通環に掛けた状態の側面図である。
【図６】図１を動物に装着しショルダー紐をたすき掛けに背負った状態の側面図である。
【図７】図１を二つ折りにし歩行補助具にした斜視図である。
【図８】図７を動物に装着した状態の側面図である。
【図９】担架本体Bの展開図である。
【図１０】図９の裏面図である。
【考案を実施するための形態】
【００２１】
以下、図面により本考案の実施例につき説明する。図１は、本考案動物用担架の展開図、図2は図１の内面図、図３は図１を支持シートに動物を保持する状態の表面図、図４は図１を動物に装着した状態の側面図、図５は図１を動物に装着しショルダー紐を通環に掛けた状態の側面図、図６は図１を動物に装着しショルダー紐をたすき掛けに背負った状態の側面図、図７は図１を二つ折りにし歩行補助具にした斜視図、図８は図７を動物に装着した状態の側面図、図９は担架本体Bの展開図、図１０は図９の裏面図である。
【００２２】
動物を載せて搬送する為の動物用担架Ａは柔軟な支持シート１に動物の4つ足を通す為の4つの足孔又は足スリット３を形成した担架本体８と、この担架本体８の両側部に配置された一対の持ち手２を有するものである。
一対の持ち手２は、担架本体８の長手方向に３組間隔をあけて配置されており頭側の持ち手２は幅が狭く配置され、その他２組の持ち手２は幅が広く配置されている。
【００２３】
前記一対の持ち手２は前側の足孔又は足スリット３と、後側の足孔又は足スリット３に対応するように前後２組配置されていて、他１組は動物の頭部を支持するように間隔を狭く担架本体８の前側に配置されている。
【００２４】
足孔又は足スリット３に対応して配置されている２組の持ち手２は支持シート１の裏面にループ状に固定したテープ又は紐の両端部で形成されていて支持シートの強度を保ちながら支持シート上の動物の前足・後足の前後を均等に支えることで体重を分散し動物を安定した状態で支持出来るように配置されている。また担架本体８頭側の持ち手にも支持シート１の裏面にループ状に固定したテープ又は紐の両端部で形成されている。
【００２５】
担架本体８の前側と後側の足孔又は足スリット３の前側の支持シート１の裏面に保持バンド通し６が縫着されており担架本体８上の動物を保持する為の保持バンド５を通して担架本体８に動物を保持する。
【００２６】
前記保持バンド５の表面は面状ファスナーメス側９が圧着加工されており保持バンド裏面の一端に面状ファスナーオス側１０が縫着されている事で動物の大きさに関わらず保持バンドを動物に巻きつけて担架本体８に保持することが出来ようにされている。
【００２７】
動物用担架Ａの使用方法について説明する。前記担架本体８表面の保持バンド通し６に保持バンド５を通し担架本体８広げ4つの足孔又は足スリット３に動物の四股を通して保持バンド５動物に巻きつけ担架本体８と動物を保持し持ち手２を動物の背中側に回し全て持ち、動物の四股・腹が下向きになるように自然な体勢で持ち上げて支持し搬送する。
【００２８】
前側足孔又は足スリット３に対応する持ち手２の後側にはショルダー紐を通す為の通環４が両側端に２か所配置されていて、かつ後側足孔又は足スリット３に対応する持ち手２の前側にもショルダー紐７を通す為の通環４が両側端に２か所配置されている。またショルダー紐は両端にフックが縫着されていてループ状に形成されたコキカンが付いていることで長さ調節が自在な物になっている。
【００２９】
1人での動物担架の使い方について説明する。担架本体８表面の保持バンド通し６に保持バンド５を通し担架本体８表側に動物がくるように広げ4つの足孔又は足スリット３に動物の四股を通して保持バンド５を動物に巻きつけ担架本体８と動物を保持した状態で、前記前側足孔又は足スリット３に対応する持ち手２の両側端に配置された通環４と後側足孔又は足スリット３に対応する持ち手２の両側端に配置された通環４に、前側足孔又は足スリット３に対応する持ち手２の一側端の通環４から後側足孔又は足スリット３に対応する持ち手２の他側端の通環４を通過し後方の一側端の通環４をへて前側の他側端の通環４にショルダー紐7を取り付け担ぎ手がショルダー紐7をたすき掛けに背負い全ての持ち手2を持ち立ち上がる事で、1人で使用し動物を搬送することが出来る。
【００３０】
動物の歩行補助具としての使用方法を説明する。担架本体８に保持バンド通し６に保持バンド５を通した状態で担架本体８を外表に前側足孔又は足スリット３と後側足孔又は足スリット３を合わせて二つ折りにし、支持シート１の前後両端に打着したボタン同士を締結し、頭部側持ち手2は二つ折りにした支持シート１の間に挟み込んだ状態で動物の両前足又は両後足を足孔又は足スリット３に通して保持バンド５で担架本体８と動物とを巻きつけて固定をし、足孔又は足スリット３に対応した持ち手２を動物の背中側に回しこの持ち手2を全て持って動物の上半身又は下半身を持ち上げるように支持して動物の歩行を補助する。
【００３１】
担架本体Bについて説明する。支持シート１１がメッシュまたは薄手の生地の場合において支持シート１１の強度を補うために支持シート１１の外周に沿うように補強テープを縁取りをする。前記の補強テープは足孔又は足スリット３の位置の両側端の間は縫着をしないで、たるみを付けておきこの部分は持ち手12とする。担架本体Bの前側縁取りテープの両側端には動物の頭部を支持する為のループ持ち手1３が縫着されている。
【００３２】
前記支持シート１１には動物の四股を通す為の足孔又は足スリット3の間を通って前後方向に延びるように２本の補強テープが縫着されており、前側足孔または足スリット３の前後方向の幅方向に延びるように３本の補強テープを縫着してある。前側足孔又は足スリット３の後側のテープと後側足孔又は足スリット３の前側のテープにはショルダー紐７を通す為の通環４が両側端に２か所づつ配置されている。また前記テープの表面には保持バンド通し６が縫着してあり、保持バンド５を通す事が出来る。
使い方は担架Aと同じになる。
【産業上の利用可能性】
【００３３】
本考案動物用担架は重く抱え難い中・大型犬等の動物の搬送用具として極めて広い利用可能性がある。
【符号の説明】
【００３４】
Ａ  本考案動物用担架
１  支持シート
２  持ち手
３  足孔又は足スリット
４  通環
５  保持バンド
６  保持バンド通し
７  ショルダー紐
８  担架本体
９  保持バンド５表面に圧着された面状ファスナーメス側
１０  保持バンド５表面に縫着された面状ファスナーオス側
B  支持シートが薄手またはメッシュの場合の本考案動物用担架
１１  Bの支持シート
１２  Bの持ち手
１３  頭部支持用ループ持ち手
【図１】
0003184637.tif 000003
【図２】
0003184637.tif 000004
【図３】
0003184637.tif 000005
【図４】
0003184637.tif 000006
【図５】
0003184637.tif 000007
【図６】
0003184637.tif 000008
【図７】
0003184637.tif 000009
【図８】
0003184637.tif 000010
【図９】
0003184637.tif 000011
【図１０】
0003184637.tif 000012
【手続補正書】
【提出日】平成25年5月2日(2013.5.2)
【手続補正１】
【補正対象書類名】実用新案登録請求の範囲
【補正対象項目名】請求項２
【補正方法】変更
【補正の内容】
【請求項２】
前記一対の持ち手は前記の足孔または足スリットに対応する１組と、後側の足孔または足スリットに対応する別の１組とを有するように、前後少なくとも２組配置されていることを特徴とする請求項１の動物用担架。